(57)【特許請求の範囲】
【請求項１】
床接合材を使用する床梁と床パネルとの接合方法であって、
前記床接合材がウエブとフランジとからなるとともに、該ウエブには長孔が設けられて、
そのフランジを上にして前記ウエブを床パネルの側面に前記長孔を通じて仮止めした後、
床接合材のフランジを床梁の上面に載置し、フランジの上から固定具で床梁に固着することを特徴とする床梁と床パネルの接合方法。
【請求項２】
治具を使って前記床接合材の床パネル側面における取付け高さを決める、請求項１記載の床梁と床パネルの接合方法において、前記治具が基準面に当接する基準部と前記床接合材のフランジの前記基準面からの取付け高さを決める位置決め部とを有し、前記治具の基準部を床パネルの上面に当接し、その治具の位置決め部に床接合材のフランジを位置させた状態で、床接合材を床パネルの側面に固着することを特徴とする床梁と床パネルの接合方法。
【請求項３】
前記治具の位置決め部に前記床接合材の仮着手段を設けたことを特徴とする請求項２記載の床梁と床パネルの接合方法。
【発明の詳細な説明】
【０００１】
【発明の属する技術分野】
本発明は、床梁と床パネルの接合方法に関する。
【０００２】
【従来の技術】
従来、床梁と床パネルの接合方法としては、例えば特開平７−７６８８０号公報に記載の方法がある。この従来技術は、ウエブとフランジとからなる床接合材を用い、床接合材のウエブを、フランジを下にして床梁の側面に固定した後、そのフランジに床パネルの端部を載置し、釘等で固着する方法である。
【０００３】
【発明が解決しようとする課題】
しかしながら、上記特開平７−７６８８０号公報における床梁と床パネルの接合方法の場合以下の問題点があった。
【０００４】
床接合材のウエブを床梁の側面に固着した後、フランジに床パネルの端部を載置する構造のため、フランジと床パネルとの固着のための釘打ち等を床パネルの下面側から上向き作業で行う必要があり、作業性がわるい。
【０００５】
また、床接合材のウエブを床梁の垂直側面に沿って固着するので、床接合材の床梁への取り付け精度の確保が難しい。そのため、床パネルの床梁への取り付け精度が悪くなることがあった。
【０００６】
以上の問題点に鑑み、本発明の課題は、床パネルと床梁との接合を下向き作業で行うことを可能とし、作業性を向上することにある。
【０００７】
また、本発明の課題は、床パネルの床梁への取り付け精度を向上することにある。
【０００８】
【課題を解決するための手段】
上記目的を達成するため請求項１記載の発明の床梁と床パネルの接合方法は、床接合材を使用する床梁と床パネルとの接合方法であって、前記床接合材がウエブとフランジとからなるとともに、該ウエブには長孔が設けられて、そのフランジを上にして前記ウエブを床パネルの側面に前記長孔を通じて固着した後、床接合材のフランジを床梁の上面に載置し、フランジの上から固定具で床梁に固着することを特徴とする。
【０００９】
また、請求項２記載の発明の床梁と床パネルの接合方法は、治具を使って前記床接合材の床パネル側面における取付け高さを決める、請求項１記載の床梁と床パネルの接合方法において、前記治具が基準面に当接する基準部と前記床接合材のフランジの前記基準面からの取付け高さを決める位置決め部とを有し、前記治具の基準部を床パネルの上面に当接し、その治具の位置決め部に床接合材のフランジを位置させた状態で、床接合材を床パネルの側面に固着することを特徴とする。
【００１０】
また、請求項３記載の発明の床梁と床パネルの接合方法は、請求項２において、前記治具の位置決め部に前記床接合材の仮着手段を設けたことを特徴とする。
【００１１】
本発明における床接合材は強度が強く防錆性能に優れる亜鉛メッキ鋼板やステンレス鋼板で形成するのが効果的である。
【００１２】
本発明においては、治具は温度による寸法変化が小さく、機械的強度にも優れる金属製やガラス繊維等で補強した合成樹脂製とするのがよい。
【００１３】
さらに、前記治具の仮着手段は磁石，ビス止め用ネジ孔，フランジの嵌合溝等の手段を選択できる。
【００１４】
【作用】
請求項１記載の発明の床梁と床パネルの接合方法においては、床接合材がウエブとフランジとからなるとともに、該ウエブには長孔が設けられて、そのフランジを上にして前記ウエブを床パネルの側面に前記長孔を通じて固着した後、床接合材のフランジを床梁の上面に載置し，フランジの上から固定具で床梁に固着するので、床パネルと床梁との接合を下向き作業で行うことができる。
【００１５】
請求項２記載の発明の床梁と床パネルの接合方法においては、治具が基準部と位置決め部よりなり、治具の基準部を床パネルの上面に当接し、その治具の位置決め部に床接合材のフランジを位置させた状態で、床接合材を床パネルの側面に固着するので、基準面となる床パネル上面から床接合材のフランジまでの距離を正確に決めることができる。
【００１６】
請求項３記載の発明の床梁と床パネルの接合方法においては、治具の位置決め部に床接合材の仮着手段を設けたので、床接合材のウエブを床パネルに固着するときに床接合材は治具に保持でき、床接合材を固着後は治具を取り外すことができる。
【００１７】
【発明の実施の形態】
以下、本発明の実施の形態を実施例にもとづき図面を参照して説明する。
図１はユニット建物を示す斜視図、図２は本発明の床梁と床パネルの接合方法を示す断面図、図３は本発明の方法に使用する床接合材の斜視図、図４は本発明の床梁と床パネルの接合手順を示す断面図、図５，図６は本発明の方法に使用する治具の使用方法を示す断面図である。
【００１８】
図１のユニット建物１０は、相隣接する上から見てコの字建物ユニット１０Ａとニの字建物ユニット１０Ｂとを互いに接合して構築するものである。
【００１９】
コの字建物ユニット１０Ａは、相対する妻壁パネル１１Ａ，１１Ａと、桁壁パネル１１Ｂをコの字状に配置し、相対する妻壁パネル１１Ａ，１１Ａの内壁面の間に床梁１４を掛け渡し、これら妻壁パネル１１Ａ，１１Ａと、桁壁パネル１１Ｂの各内面と床梁１４とに床パネル１２の端部を接合している。
【００２０】
ニの字建物ユニット１０Ｂは、相対する妻壁パネル１１Ａ，１１Ａをニの字状に配置し、相対する妻壁パネル１１Ａ，１１Ａの内壁面の間に床梁１４を掛け渡し、これら妻壁パネル１１Ａ，１１Ａの各内壁面と床梁１４，１４とに床パネル１２の端部を接合している。
【００２１】
また、妻壁パネル１１Ａはその両側端に柱１３，１３を有している。
【００２２】
図１と図２とで床パネル１２と床梁１４とそれらの接合構造について説明する。図２は図１のＡ−Ａ矢視図である。
【００２３】
床パネル１２は、床梁１４と垂直方向に延びる複数本の床根太１６を有し、床梁１４と平行に床パネル１２の両端部に設けられる端根太１５と、床梁１４と垂直に床パネル１２の両端部に設けられる側根太（不図示）をそれぞれ備えて床枠組みが形成され、この床枠組みの上下のそれぞれにパーチクルボード等からなる床表面材１７とパーチクルボード等からなる床裏面材１８のそれぞれが釘打ち及び／又は接着剤を用いて取り付けられたものである。
【００２４】
床梁１４は、桁方向に延びる木質梁材（形鋼材でも可）からなり、相対する妻壁パネル１１Ａ，１１Ａの壁なし桁面に配置される。そして、床梁１４の両端で妻壁パネル１１Ａ，１１Ａの柱１３，１３にボルトとナットとで締結することにより、床梁１４を妻壁パネル１１Ａ，１１Ａの内壁面の間に掛け渡し可能としている。
【００２５】
次に、床パネル１２の壁なし桁面側での床梁１４への接合構造を説明する。
床梁１４は、木質梁材からなり、床接合材１を介して、床パネル１２の壁なし桁面側の端部（端根太１５）を支持する。床接合材１は、亜鉛メッキ鋼板からなり、図３に示すように断面Ｌ形でありフランジ１ａを床梁１４への載置部とし、ウエブ１ｂを床支持部としている。つまり、床接合材１は、床パネル１２の側面（端根太１５の側面）にウエブ１ｂを使って木ねじ３により固着し、フランジ１ａを床梁１４の上面に載置して木ねじ３により下向き作業で固定する。これにより、床パネル１２の壁なし桁面側の端部が床梁１４を介して妻壁パネル１１Ａ，１１Ａに支持されるものとなる。
【００２６】
建物ユニット１０Ａは以下のごとく組み立てられる。建物ユニット１０Ｂについても桁壁パネル１１Ｂがないこと以外は同様である。
（１）妻壁パネル１１Ａ，１１Ａ，桁壁パネル１１Ｂと床パネル１２とを個別に仕上げる。このとき、床接合材１は、床パネル１２の側面（端根太１５の側面）に木ねじ３によりウエブ１ｂを使って取り付けておく。また、妻壁パネル１１Ａ，１１Ａ，桁壁パネル１１Ｂに不図示の床パネルの固定金物を取り付けておく。
【００２７】
（２）相対する妻壁パネル１１Ａ，１１Ａの間の壁なし桁面に床梁１４を掛け渡す。
【００２８】
（３）床パネル１２の端部を床パネルの固定金物に載置し、床パネル１２の側面の床接合材１のフランジ１ａを床梁１４に載置する。
【００２９】
（４）床パネル１２の端部を床パネルの固定金物に固着する。さらに、床パネル１２の壁なし桁面側の端部を床梁１４に固着する。つまり、床接合材１のフランジ１ａを床梁１４の上面に載置して下向き作業で木ねじを用いて固着する。
【００３０】
以上のように建物ユニット１０Ａ，１０Ｂが組み立てられるが、床接合材の床パネルのへの固着方法について、さらに詳しく説明する。
【００３１】
床接合材１は図３に示すように、ウエブ１ｂの一端から略直角にフランジ１ａが設けてある。ウエブ１ｂとフランジ１ａには孔１ｃが、ウエブ１ｂには長孔１ｄが設けてある。
この長孔１ｄにより床接合材１が端根太１５に木ねじにより仮止めでき、必要に応じて取り付け位置を微調整できる。
【００３２】
床接合材１を床パネル１２の側面（端根太１５の側面）に取り付けるにときは、床パネル１２の表面からの距離を正確にするために治具を使うのが好ましい。つまり、図４に示すように治具２を基準面である床パネル１２表面に基準部２１が接するように置き、治具２の位置決め部２２ａに床接合材１のフランジ１ａを当てることにより床接合材１の取り付け高さを正確に決めることができる。さらに、治具２の位置決め部２２ａにフランジ１ａの脱着可能な仮着手段として磁石２ａを設けてあり、亜鉛メッキ鋼板製の床接合材１のフランジ１ａが固定できる。つまり、ウエブ１ｂに木ねじ３をねじ込むときに治具２と床接合材１とを同時に固定する必要がないので作業の効率が良い。
【００３３】
つまり、治具２には、治具２のフランジ１ａを脱着できる仮着手段を設けることが好ましい。
仮着手段としては、その他、図５に示すように、ねじ孔２ｂを利用して床接合材１をビスで取り付けたり、図６に示すように、位置決め部としてフランジ１ａの嵌合部２２ｃを設け、さらに、フランジ１ａの固定をしっかりするために嵌合部の内側に弾性体２ｃを設けたりする方法がある。
これらの方法によれば、磁石にひっつかない材質の床接合材１でも、治具２に固定できる。
【００３４】
以上、本発明の実施例を図面により説明したが、本発明の具体的構成はこの実施例に限られるものではなく、本発明の要旨を逸脱しない範囲の設計の変更等があっても本発明に含まれる。
【００３５】
例えば、治具２の基準部２１は必ずしも平坦でなくともよく、多数の突起で床パネル１２の上面に接してもよい。
【００３６】
また、治具２の長さは、床接合材１の壁パネル１１Ａからの位置を決めることのできるように長さを決めてもよい。さらに、治具２の長さを床パネル１２の長さと略同一とすることもできる。
【００３７】
【発明の効果】
請求項１記載の発明の床梁と床パネルの接合方法においては、床パネルと床梁との接合を下向き作業で行うことができるので、作業性がよい。
【００３８】
請求項２記載の発明の床梁と床パネルの接合方法においては、基準面となる床パネル上面から床梁の上面に載置する床接合材のフランジまでの距離を正確に決めることができ、床接合材を正確に固着することができる。したがって、床梁に床パネルを正確な高さで固着できる。そのため、ユニット建物を構築するときに隣合う建物ユニットの床パネルを床梁を基準として段差なく施工できる。
【００３９】
請求項３記載の発明の床梁と床パネルの接合方法においては、床接合材のウエブを床パネルに固着するときに床接合材は治具に保持できるので、床接合材を釘等で固着するときに治具だけを固定すれば床接合材が動くことはなく作業が容易となる。さらに、床接合材を固着後は治具を取りはずし、他の床接合材の固着に何度でも利用できる。
【図面の簡単な説明】
【図１】ユニット建物を示す斜視図である。
【図２】本発明の床梁と床パネルの接合方法を示す断面図である。
【図３】本発明の方法に使用する床接合材の斜視図である。
【図４】本発明の床梁と床パネルの接合手順を示す断面図である。
【図５】本発明の方法に使用する治具の使用方法を示す断面図である。
【図６】本発明の方法に使用する治具の使用方法を示す断面図である。
【符号の説明】
１  床接合材
１ａ  フランジ
１ｂ  ウエブ
２  治具
２１  基準部
２１ａ，２１ｂ，２１ｃ  位置決め部
２ａ  磁石（仮着手段）
２ｂ  ビス孔（仮着手段）
２ｃ  弾性体（仮着手段）
３  固定具（木ねじ）
１２  床パネル
１４  床梁
１５  端根太
【図１】
0003940507.tif 000002
【図２】
0003940507.tif 000003
【図３】
0003940507.tif 000004
【図４】
0003940507.tif 000005
【図５】
0003940507.tif 000006
【図６】
0003940507.tif 000007